(57)【要約】【課題】ディスクが損傷するのを抑制し、ディスクの姿勢を適切な姿勢に修正する手間を省くことのできるディスク装置を提供する。【解決手段】再生又は記録／再生可能なディスク１を搭載して装置本体１０に供給するトレイ２０と、トレイ２０を装置本体１０に対して往復動させる移動手段３０と、ディスク１が適切な姿勢でトレイ２０に搭載されたか否かを検知する状態検知手段４０とを備え、状態検知手段４０の検知結果に基づき、ディスク１がトレイ２０に不適切な姿勢で搭載された場合には、移動手段３０の動作を規制して往動突出したトレイ２０が装置本体１０に対して復動復帰しないようにする。【選択図】  図１
2004171703.tif 000002
【特許請求の範囲】
【請求項１】
再生又は記録／再生可能なディスクを搭載して装置本体に供給するトレイと、このトレイを装置本体に対して往復動させる移動手段とを含んでなるディスク装置であって、
ディスクが適切な姿勢でトレイに搭載されたか否かを検知する状態検知手段を備え、この状態検知手段の検知結果に基づき、ディスクがトレイに不適切な姿勢で搭載された場合には、移動手段の動作を規制して往動したトレイが装置本体に復動復帰しないようにしたことを特徴とするディスク装置。
【請求項２】
状態検知手段を、赤外線を照射する赤外線発光部と、この赤外線発光部からの赤外線を受光する赤外線受光部とから構成し、これら赤外線発光部と赤外線受光部とをトレイに間隔をおいて取り付けた請求項１記載のディスク装置。
【請求項３】
状態検知手段の検知結果に基づき、ディスクがトレイに不適切な姿勢で搭載された場合には、トレイを往復動させてディスクの不適切な姿勢を適切な姿勢に修正するようにした請求項１又は２記載のディスク装置。
【請求項４】
トレイの往復動量を正規の往復動量よりも減少させた請求項３記載のディスク装置。
【発明の詳細な説明】
【０００１】
【発明の属する技術分野】
本発明は、再生又は記録／再生可能なディスクを装置本体に給排するディスク装置に関するものである。
【０００２】
【従来の技術】
再生又は記録／再生可能なディスクを装置本体に給排する従来のディスク装置は、図示しないトレイにディスクが搭載されたか否かを機械式のスイッチや光学式のセンサで検知しているが、トレイにディスクが適切な姿勢で搭載されたか否かについてまでは検知していない。したがって、例えばトレイにディスクが不適切な傾斜姿勢で搭載され、往動突出したトレイが装置本体に復動復帰して収納されると、装置本体とトレイとの間にディスクの一部が挟まれて損傷し、最悪の場合には記録／再生が不可能になるおそれがある。
【０００３】
係る問題を解消するため、従来においては、一定時間が経過しても装置本体にトレイが復動復帰しない場合には、装置本体のシステムコントロールが異常と判断し、トレイを反装置本体方向に往動突出させてディスクを排出する技術が提案されている（特許文献１参照）。
【０００４】
【特許文献１】
特開平７−２４９２５１号公報
【０００５】
【発明が解決しようとする課題】
従来のディスク装置は、以上のように構成され、ディスクが適切ではない姿勢で装置本体に供給されると、装置本体とトレイの間にディスクが挟まれて損傷し、終には記録／再生が不可能になるという問題がある。さらに、トレイを反装置本体方向に往動させてディスクを排出する技術を採用する場合、ディスクの損傷防止を図ることができるものの、ディスクを取り出してその不適切な姿勢を適切な姿勢にわざわざ直し、再度搭載しなければならないので、作業の遅延と煩雑化を招くこととなる。
【０００６】
本発明は、上記に鑑みなされたもので、ディスクが損傷するのを抑制し、ディスクの姿勢を適切な姿勢に修正する手間を省くことのできるディスク装置を提供することを目的としている。
【０００７】
【課題を解決するための手段】
本発明においては、上記課題を達成するため、再生又は記録／再生可能なディスクを搭載して装置本体に供給するトレイと、このトレイを装置本体に対して往復動（行き帰り移動）させる移動手段とを含んでなるものであって、
ディスクが適切な姿勢でトレイに搭載されたか否かを検知する状態検知手段を備え、この状態検知手段の検知結果に基づき、ディスクがトレイに不適切な姿勢で搭載された場合には、移動手段の動作を規制して往動したトレイが装置本体に復動復帰しないようにしたことを特徴としている。
【０００８】
なお、状態検知手段を、赤外線を照射する赤外線発光部と、この赤外線発光部からの赤外線を受光する赤外線受光部とから構成し、これら赤外線発光部と赤外線受光部とをトレイに間隔をおいて取り付けることができる。
また、状態検知手段の検知結果に基づき、ディスクがトレイに不適切な姿勢で搭載された場合には、トレイを往復動させてディスクの不適切な姿勢を適切な姿勢に修正することができる。
さらに、トレイの往復動量を正規の往復動量よりも減少させることもできる。
【０００９】
ここで特許請求の範囲における移動手段を、アクチュエータと、このアクチュエータの駆動に基づいて回転する第一の歯車と、トレイに設けられて第一の歯車と噛み合う第二の歯車とから構成することができる。この移動手段としては、アクチュエータ、第一の歯車、第二の歯車からなるものが主ではあるが、なんらこれに限定されるものではない。例えば、各種のモータからなるアクチュエータとカム機構、螺子機構、又はリンク機構の組み合わせ等でも良い。第一、第二の歯車は、直接的に噛み合うものでも良いし、他の歯車を介して間接的に噛み合うものでも良く、しかも、ラックを含む。状態検知手段は、装置本体とトレイの少なくとも一方に設置されれば良く、装置本体とトレイの双方に設置することも可能である。この状態検知手段は、赤外線発光部と赤外線受光部とからなるものが主であるが、例えば光電スイッチやファイバセンサ等でも良い。
【００１０】
移動手段の動作の規制には、少なくとも装置本体にトレイが復帰するのを停止させたり、待機させたり、あるいは装置本体に対してトレイを僅かにスライドさせてディスクを揺すり、その不適切な姿勢を適切な姿勢に修正すること等が含まれる。正規の往復動量とは、ディスクが適切な姿勢で搭載された場合におけるトレイの装置本体に対する往復動量をいう。
【００１１】
【発明の実施の形態】
以下、図面を参照して本発明の好ましい実施形態を説明すると、本実施形態におけるディスク装置は、図１、図２に示すように、再生又は記録／再生可能なディスク１を搭載して装置本体１０に供給するトレイ２０と、このトレイ２０を装置本体１０に対して往復動させる移動手段３０と、ディスク１が適切な姿勢でトレイ２０に搭載されたか否かを検知する状態検知手段４０とを備え、この状態検知手段４０の検知結果に基づき、ディスク１がトレイ２０上に不適切な姿勢で搭載された場合には、移動手段３０の動作を規制して往動突出したトレイ２０が装置本体１０に復動復帰しないようにしている。
【００１２】
装置本体１０は、少なくとも、正面に設置されてトレイ用の収納空間近傍に位置する押圧操作可能なＬＯＡＤ／ＥＪＥＣＴボタン１１と、このＬＯＡＤ／ＥＪＥＣＴボタン１１からのＬＯＡＤ／ＥＪＥＣＴ信号１２を入力してトレイ２０の状態を確認等するシステムコントロール１３と、ＬＯＡＤ／ＥＪＥＣＴ信号１２を入力したシステムコントロール１３のモータ駆動信号１４等により制御される移動手段３０と、トレイ２０が復動復帰（ディスク１の供給）しているか、往動突出（ディスク１の排出）しているかを検出するトレイ位置検出スイッチとが配設される。
【００１３】
トレイ２０は、各種の合成樹脂を使用して表面の開口した低い箱構造に形成され、トレイ用の収納空間に挿入されており、ＬＯＡＤ／ＥＪＥＣＴボタン１１の押圧操作に基づいてディスク１の供給位置から排出位置に往動突出したり、ディスク１の排出位置から供給位置に復動復帰する。このトレイ２０は、その内部に略円錐台形の搭載凹み２１が成形され、この搭載凹み２１にＣＤ−ＲＯＭ等からなるディスク１が着脱自在・回転可能に嵌合搭載される。
【００１４】
移動手段３０は、システムコントロール１３からの駆動信号１４により駆動するトレイ用のモータ３１と、このモータ３１の駆動に基づいて回転するピニオン３２と、トレイ２０の底面に形成されてピニオン３２と噛合するラック３３とから構成される。このような構成の移動手段３０は、モータ３１の駆動に基づいてピニオン３２が直接間接に回転し、このピニオン３２と噛合したラック３３付きのトレイ２０をスライドさせる。
【００１５】
状態検知手段４０は、赤外線を照射する赤外線発光部４１と、この赤外線発光部４１からの赤外線を受光する赤外線受光部４２とから構成される。これら赤外線発光部４１と赤外線受光部４２とは、トレイ２０の搭載凹み２１における周縁部上方に埋設され、ディスク１の直径以上の間隔をおいて対向設置される。このような状態検知手段４０は、ディスク１がトレイ２０に適切な水平姿勢で搭載された場合には、図１に示すように赤外線発光部４１からの赤外線を赤外線受光部４２がそのまま受光し、ディスク状態検知信号をシステムコントロール１３に出力する。これに対し、ディスク１がトレイ２０に不適切な傾斜姿勢で搭載された場合には、図２に示すように赤外線発光部４１からの赤外線がディスク１に妨げられて赤外線受光部４２が受光せず、ディスク状態検知信号を出力しないよう機能する。
【００１６】
次に、動作について図３のフローチャート１を使用しながら説明すると、先ず、装置本体１０のＬＯＡＤ／ＥＪＥＣＴボタン１１が押圧操作されたことをシステムコントロール１３が検知する（ｆ１１）と、システムコントロール１３がトレイ２０の収納（供給）状態と排出状態をトレイ位置検出スイッチからの検出信号から判断する（ｆ１２）。トレイ２０が排出されている場合には、状態検知手段４０の赤外線受光部４２からのディスク状態検知信号により、ディスク１が正常な水平姿勢に搭載されているかを判断する。ディスク１が正常な水平姿勢に搭載されていない場合には、正常な姿勢に搭載されるまで待機（ｆ１３）し、トレイ２０の復動復帰を規制する。
【００１７】
ディスク１が正常な水平姿勢に搭載されている場合には、システムコントロール１３が移動手段３０のモータ３１を駆動（ｆ１４）してトレイ２０を収納方向に復動復帰させ、トレイ位置検出スイッチからの位置検出信号によりディスク１の収納が完了したことを検知（ｆ１５）し、これにより一連の動作が完了する。
但し、トレイ２０が何らかの理由により一定時間以上収納復帰されない場合（ｆ１６）には、異常と判断して移動手段３０にトレイ２０を排出方向に移動させる。
【００１８】
トレイ位置検出スイッチからの位置検出信号により、トレイ２０が収納復帰状態であるとシステムコントロール１３が判断した場合（ｆ１２）、システムコントロール１３が移動手段３０のモータ３１を駆動（ｆ１７）してトレイ２０を排出方向に移動させる。そして、トレイ位置検出スイッチからの位置検出信号により、排出の完了を検知して一連の処理が完了する。
【００１９】
上記によれば、ディスク１がトレイ２０に不適切な姿勢で搭載された場合、システムコントロール１３が移動手段３０の動作を制限し、トレイ２０を拘束するので、装置本体１０とトレイ２０の間にディスク１の一部が挟まれて傷付き、記録／再生が不可能になるという問題をきわめて有効に解消することができる。また、移動手段３０を、一般的なモータ３１、ピニオン３２、及びラック３３から構成するので、コストの削減、動作の確実化、及び比較的静かな運転が大いに期待できる。
【００２０】
また、状態検知手段４０を赤外線発光部４１と赤外線受光部４２とから構成し、散乱率の低い赤外線を検知に利用するので、検知の確実化が可能になる。さらに、赤外線発光部４１と赤外線受光部４２とをディスク１の直径以上の間隔をおいて対向設置するので、ディスク１のセットになんら支障を来たすことがない。
【００２１】
次に、図４のフローチャート２は本発明の他の実施形態を示すもので、この場合には、状態検知手段４０の検知結果に基づき、ディスク１がトレイ２０に不適切な姿勢で搭載された場合には、収納時のトレイ２０を僅かに往復動させてディスク１の位置をずらし、ディスク１の不適切な姿勢を適切な姿勢に修正するようにしている。
【００２２】
以下、図４のフローチャート２を用いて説明すると、（ｆ２３）まではフローチャート１と同様の処理が行われるが、ディスク１がトレイ２０に不適切な傾斜姿勢で搭載されている場合には、システムコントロール１３が移動手段３０のモータ３１を駆動してトレイ２０を収納方向に僅かに移動（ｆ２３ａ）させ、その後にトレイ２０を排出方向に僅かに移動（ｆ２３ｂ）させることにより、トレイ２０のディスク１に振動を加えて揺すり、ディスク１をトレイ２０に適切な水平姿勢で搭載させる。
なお、トレイ２０の往復動の回数については、適宜増減することが可能である。その他の部分については、上記実施形態と同様であるので説明を省略する。
【００２３】
本実施形態においても上記実施形態と同様の作用効果が期待でき、しかも、ディスク装置自体がトレイ２０を僅かに往復動させて振動を加え、ディスク１の不適切な姿勢を適切な姿勢に修正するので、ディスク１の損傷防止の他、ディスク１を取り出してその不適切な姿勢を適切な姿勢にわざわざ直し、再度搭載する必要が全くない。したがって、細心の注意を払うことなく、ディスク１を搭載することができ、これを通じて作業の著しい円滑化や簡素化を図ることができるのは明らかである。さらに、トレイ２０の往復動量を僅かな量として正規の往復動量よりも少なくするので、ディスク１の姿勢を適切な姿勢に直すのに長時間を要することがない。
【００２４】
なお、図５や図６は従来技術の一例であり、図１や図２との相違は、状態検知手段４０である赤外線発光部４１と赤外線受光部４２とが設置されない点である。
この従来技術において、装置本体１０のＬＯＡＤ／ＥＪＥＣＴボタン１１が押圧操作されたことをシステムコントロール１３が検知する（ｆ３１）と、システムコントロール１３がトレイ２０の収納状態と排出状態を判断する（ｆ３２）。トレイ２０が排出されている場合には、移動手段３０のモータ３１を駆動してトレイ２０を収納方向に復動復帰（ｆ３４）させ、一定時間以上トレイ２０が復動復帰しない（ｆ３６）場合には、異常と判断し、移動手段３０のモータ３１を駆動してトレイ２０を排出方向に往動突出させる（ｆ３７）。
【００２５】
また、トレイ２０が収納されている場合には、フローチャート１、２と同様にトレイ２０を排出する。この一連の動作は、ディスク１の状態にかかわらず、ＬＯＡＤ／ＥＪＥＣＴボタン１１の押圧操作に基づいて行われる。
【００２６】
【発明の効果】
以上のように本発明によれば、装置本体とトレイの間にディスクが挟まれて損傷するのを防ぐことができるという効果がある。また、ディスクの不適切な状態を適切な状態に手で修正する手間を省くことができるので、作業の簡素化や迅速化を図ることができる。
【図面の簡単な説明】
【図１】本発明に係るディスク装置の実施形態におけるディスクが適切な姿勢でトレイに搭載された状態を示す模式説明図である。
【図２】本発明に係るディスク装置の実施形態におけるディスクが不適切な姿勢でトレイに搭載された状態を示す模式説明図である。
【図３】本発明に係るディスク装置の実施形態におけるフローチャート１を示す説明図である。
【図４】本発明に係るディスク装置の他の実施形態におけるフローチャート２を示す説明図である。
【図５】従来のディスク装置を示す説明図である。
【図６】従来のディスク装置のフローチャートを示す説明図である。
【符号の説明】
１          ディスク
１０        装置本体
１３        システムコントロール
２０        トレイ
２１        搭載凹み
３０        移動手段
３１        モータ（アクチュエータ）
３２        ピニオン（第一の歯車）
３３        ラック（第二の歯車）
４０        状態検知手段
４１        赤外線発光部
４２        赤外線受光部
【図１】
2004171703.tif 000003
【図２】
2004171703.tif 000004
【図３】
2004171703.tif 000005
【図４】
2004171703.tif 000006
【図５】
2004171703.tif 000007
【図６】
2004171703.tif 000008